(57)【要約】【課題】  キャビネットの側板前端部と干渉する固定板部の干渉部分を除去しても、この除去した部分に対応する扉の裏側の上端部又は下端部の露出を防止でき、またこの除去部分の取付強度、固定強度の低下を防止できるようにする。【解決手段】  キャビネット１の扉類２の上端部又は下端部に、その長手方向に沿って配置する取っ手本体部３と、この取っ手本体部３の長手方向に沿って形成し扉類２の背面部２ａに前面を当接させて固定する固定板部５とを備える。キャビネット１の側板前端部１ａと干渉する固定板部５の干渉部分５ａを除去する。固定板部５の干渉部分５ａを除去したとき扉類２の上端部又は下端部が裏側に露出することを防止する処理隠し部７を、取っ手本体部３の後側に、扉類２の背面部２ａに前面部７ａが当接する状態で垂直片状に形成する。【選択図】      図１
2011005027.tif 000002
【特許請求の範囲】
【請求項１】
キャビネットの扉類の上端部又は下端部に、その長手方向に沿って配置される取っ手本体部と、この取っ手本体部の長手方向に沿って形成され扉類の背面部に前面が当接して固定される固定板部とを備え、上記のキャビネットの側板前端部と干渉する固定板部の干渉部分が除去されているキャビネット用の取っ手であって、上記の固定板部の干渉部分を除去したとき扉類の上端部又は下端部が裏側に露出することを防止する処理隠し部が、取っ手本体部の後側に、扉類の背面部に前面部が当接する状態で垂直片状に形成されていることを特徴とするキャビネット用の取っ手。
【請求項２】
請求項１記載のキャビネット用の取っ手であって、キャビネットの側板前端部と干渉する固定板部の干渉部分の前面に、処理隠し部の下側の面又は上側の面を形作るスペースが、横溝状に形成されていることを特徴とするキャビネット用の取っ手。
【請求項３】
請求項２記載のキャビネット用の取っ手であって、スペースの内部上面又は内部下面が、固定板部の前面の側に向かって下り又は上り傾斜面状に形成されていることを特徴とするキャビネット用の取っ手。
【発明の詳細な説明】
【技術分野】
【０００１】
本発明は、取っ手に関し、更に詳しくは流し台等のキャビネットの引き出しや扉に取り付けて使用するキャビネット用の取っ手に関するものである。
【背景技術】
【０００２】
従来この種の取っ手としては、例えば特許文献１に記載されているものがある。
この従来品は、扉の上端部にその長手方向に沿って配置される把手本体と、この把手本体に形成され扉の背面部に固着具で固定される固定板部とを有し、キャビネットの側板前端部と干渉する固定板部の干渉部分が切断されており、把手本体の両端部に樹脂製の端部キャップが取り付けられ、この端部キャップが、固定板部の切断面を覆う覆い部を有しているものである。
【０００３】
而して、この従来品の場合、キャビネットの側板前端部と干渉する固定板部の干渉部分は、特許文献１の図３、図４等に示されるように、扉の上端部に当接する把手本体の下面の高さに合わせて固定板部の端を横方向にカットすることにより、除去されていた。
従ってこの従来品によると、切断部が扉の上端部の高さに配置されたから、扉の上端部が裏側に露出し、例えば収納庫内の気密性、密封性が低下する、という問題点があった。
また従来品は、固定板部の干渉部分を除去すると、この除去部分について、把手本体部と扉の背面部との間の係りを失うことになった。
従って従来品によると、取っ手の取付強度、固定強度が、固定板部の除去部分において低下するのを避けられなかった。
また従来品は、切断部のバリ対策のため端部キャップを使用することから、部品点数が増加し、コストがアップすることにもなった。
【先行技術文献】
【特許文献】
【０００４】
【特許文献１】特開２０００８−２９４０８号公報
【発明の概要】
【発明が解決しようとする課題】
【０００５】
本発明は、このような従来品の問題点に鑑み、提案されたものである。
従って本発明の解決しようとする技術的課題は、キャビネットの側板前端部と干渉する固定板部の干渉部分を除去しても、この除去した部分に対応する扉の裏側の上端部又は下端部の露出を防止でき、またこの除去部分の取付強度、固定強度の低下を防止できるよう形成したキャビネット用の取っ手を提供することを目的とする。
【課題を解決するための手段】
【０００６】
本発明は、上記の課題を解決するため、次のような技術的手段を採る。
即ち本発明は、図１、図１６等に示されるように、キャビネット１の扉類２の上端部又は下端部に、その長手方向に沿って配置される取っ手本体部３と、この取っ手本体部３の長手方向に沿って形成され扉類２の背面部２ａに前面が当接して固定される固定板部５とを備え、上記のキャビネット１の側板前端部１ａと干渉する固定板部５の干渉部分５ａが除去されているキャビネット用の取っ手であって、上記の固定板部５の干渉部分５ａを除去したとき扉類２の上端部又は下端部が裏側に露出することを防止する処理隠し部７が、取っ手本体部３の後側に、扉類２の背面部２ａに前面部７ａが当接する状態で垂直片状に形成されていることを特徴とする（請求項１）。
【０００７】
ここで、扉類２とは、扉や、引き出しの前板等を意味する。また上端部又は下端部とは、本発明品は扉類２の上端部に取っ手本体部３を配置して取り付ける場合のほか、例えば図１５に示されるようなアッパーキャビネット１の場合は、扉類２の下端部に取っ手本体部３を配置して取り付ける場合もある、ということを意味する。
【０００８】
而して本発明は、図１等に示されるように、キャビネット１の側板前端部１ａと干渉する固定板部５の干渉部分５ａの前面に、処理隠し部７の下側の面７ｂ又は上側の面７ｃ（図１６参照）を形作るスペース８が、横溝状に形成されているのが好ましい（請求項２）。
なぜならこれによると、図８のラインＡ又はＢに示されるように、横溝状のスペース８の奥側の任意の位置を、固定板部５の長手方向に沿って縦にカットすることで処理隠し部７を、簡単且つ迅速に形成できるからである。なお、ここで、下側の面７ｂ又は上側の面７ｃを形作る、とは、図８等に示されるように、取っ手本体部３が扉類２の上端部に配置される場合は、スペース８の内部上面８ｂが処理隠し部７の下側の面７ｂを形作り、図１６に示されるように、取っ手本体部３が扉類２の下端部に配置される場合は、スペース８の内部下面８ｃが処理隠し部７の上側の面７ｃを形作る、ということを意味する。
【０００９】
また本発明は、図８、図１６等に示されるように、スペース８の内部上面８ｂ又は内部下面８ｃが、固定板部５の前面の側に向かって下り又は上り傾斜面状に形成されているのが好ましい（請求項３）。
なぜならこの場合は、固定板部５の干渉部分５ａを除去したとき、処理隠し部７の下側の面７ｂ又は上側の面７ｃが傾斜面状に形成され、その結果、鋭利なエッジやバリが切断箇所に生じることを防止できるからである。換言すると、これによれば、切断箇所のバリ取り等の仕上げ処理の手間暇を軽減でき、また切断箇所を覆うキャップ等のカバーを省略できるからである。
【発明の効果】
【００１０】
本発明は、このようにキャビネットの側板前端部と干渉する固定板部の干渉部分を除去したとき扉類の上端部又は下端部が裏側に露出することを防止する処理隠し部を、取っ手本体部の後側に、扉類の背面部に前面部が当接する状態で垂直片状に形成しているものである。
【００１１】
従って本発明によれば、固定板部の干渉部分を除去したとき、扉類の裏側の上端部又は下端部の露出を防止でき、また処理隠し部で扉類の上端部又は下端部の箇所の隙間を封止でき、収納庫の気密性、密閉性を高めることができる。
また本発明品は、処理隠し部の前面部が扉類の背面部に当接するものである。
従って本発明の場合は、固定板部の干渉部分を除去しても、この除去部分の範囲においては処理隠し部と扉類の上端部等が係合するため、これによれば、取っ手の取付強度、固定強度が固定板部の除去部分において低下することを防止できる。
【図面の簡単な説明】
【００１２】
【図１】本発明の取っ手の好適な一実施形態を示す要部斜視図である。
【図２】同上取っ手を引き出しの前板に取り付けたときの要部平面図である。
【図３】図２のＩＩＩ−ＩＩＩ線における要部断面図である。
【図４】図３のＩＶ−ＩＶ線における要部断面図である。
【図５】同上取っ手の要部断面斜視図である。
【図６】キャビネットとしての流し台の要部斜視図である。
【図７】図６のＶＩＩ−ＶＩＩ線における要部断面斜視図である。
【図８】同上取っ手の側面図である。
【図９】固定板部の干渉部分を図８のラインＢの位置で除去したときの要部断面図である。
【図１０】図９の取っ手の要部断面斜視図である。
【図１１】取っ手本体部の他の実施形態を示す側面図である。
【図１２】図１１の取っ手の取り付け時の要部断面斜視図である。
【図１３】スペースの他の実施形態を示し、Ａは側面図、ＢはＡのＢ−Ｂ線から固定板部の干渉部分を除去したときの要部側面図である。
【図１４】Ａ、Ｂともスペースの更に他の実施形態を示す要部側面図である。
【図１５】アッパーキャビネットを示す要部斜視図である。
【図１６】図１５のＸＶＩ−ＸＶＩ線における要部断面図である。
【発明を実施するための形態】
【００１３】
以下、本発明を実施するための好適な一実施形態を添付図面に従って説明する。
この実施形態の本発明は、図１等に示されるように、キャビネット１の扉類２としての引き出しの前板の上端部に、その長手方向に沿って配置される取っ手本体部３と、この取っ手本体部３の長手方向に沿って形成され扉類２の背面部２ａに前面が当接して、例えばネジ４等で固定される固定板部５とで形成されている。
【００１４】
この場合、本発明品は、押し出し成型法で形成され、取っ手本体部３と固定板部５とは一体状に形成されている。また本発明品は、上記のキャビネット１の側板前端部１ａと干渉する固定板部５の干渉部分５ａが除去されている。この実施形態では、具体的には図８のラインＡの位置から固定板部５の長手方向に沿って縦に刃が入れられ、また固定板部５の側端から所定の幅をあけた位置で、固定板部５の前後方向に刃が入れられることにより、干渉部分５ａが除去されている。
【００１５】
なお、取っ手本体部３は、この実施形態では手掛かり箇所３ａが長手方向に延びて形成されている。またキャビネット１の側板前端部１ａには、図１、図２に示されるように、扉類２の背面部２ａと密着するようパッキン６が縦向きに設けられている。なお、２ｂ（図１、図２等参照）は引き出しの側板であり、２ｃは底板である。
【００１６】
而してこの実施形態の本発明品は、上記の固定板部５の干渉部分５ａを除去したとき扉類２の上端部が後側に露出することを防止する処理隠し部７が、取っ手本体部３の後側に、扉類２の背面部２ａに前面部７ａが当接する状態で垂直片状に立ち下げられている。また本発明品は、固定板部５の干渉部分５ａの前面に、処理隠し部７の下側の面７ｂを形作るスペース８が横溝状に形成されている。このスペース８の両端８ａは、固定板部５の側端に開口されている。なお、スペース８は、この実施形態では干渉部分５ａの位置（範囲）に止まらず、固定板部５の長手方向の全長にわたって同一状に形成されている。
【００１７】
またスペース８の内部上面８ｂ（図８参照）は、固定板部５の前面の側（前方）に向かって下り傾斜状に形成されている。従って、この実施形態の本発明品は、固定板部５の干渉部分５ａ（図１参照）を除去すると、図４、図５等に示されるように、処理隠し部７の下側の面７ｂが傾斜面状に形成されるものである。
【００１８】
また本発明品は、図４等に示されるように、処理隠し部７の前面部７ａと、扉類２の上端部に接する取っ手本体部３の下面３ｂとで、扉類２の上端部に接する取っ手本体部３の位置が、縦断面鉤形のコーナー面が形成されている。そしてこの実施形態では、このコーナー面と、取っ手本体部３の前側の立ち下げ部３ｃとで逆凹溝状に形成され、取っ手本体部３は、扉類２の上端部に嵌合可能に形成されている。
【００１９】
而して、本発明品は、このように形成されているから、処理隠し部７の前面部７ａを扉類２の背面部２ａに当接させて扉類２に取り付けると、取っ手本体部３に手指を掛けて引いたとき、処理隠し部７が扉類２の背面部２ａに係止して引っ掛かりとなる。従って本発明品によれば、干渉部分５ａが除去されても、この箇所の取付強度、固定強度の低下を防止できる。
【００２０】
以上の処において、上例では図８のラインＡの位置から切断されているが、本発明の場合、カットする位置は任意であり、例えばラインＢの位置で取っ手本体部３の後側の垂直面３ｄに刃をあてがって切断するのでも良い。この場合は、取っ手本体部３の後側の垂直面３ｄによって刃のぶれを防止でき、切断作業を容易化できるものである。
【００２１】
また本発明の場合、取っ手本体部３は、例えば図１１、図１２に示されるように、手掛かり箇所３ａを深く（縦の長さを長く）したり、下面３ｂの前後の長さを長く形成するのでも良く、その縦断面形状は任意である。
【００２２】
また本発明の場合、上記のスペース８は、上例のような横溝形状に限定されるものではなく、その断面形状は任意である。即ち、本発明品は、スペース８が、図１３に示されるように、縦方向の長さが短い凹溝状に形成されたり、図１４Ａに示されるように、縦断面Ｖ溝状や、同図Ｂに示されるように、蟻溝状に形成されているのでも良い。なお、図１３、図１４において、ラインＢ、ラインＬは、切断位置の一例を示す。
【００２３】
更に本発明の取っ手は、図１５に示されるようなアッパーキャビネット１の扉類２に取り付けられるのでも良い。この場合、本発明品の取っ手本体部３は、図１６に示されるように、扉類２の下端部に、その長手方向に沿って配置されるものである。またこの場合、処理隠し部７は、扉類２の下端部が裏側に露出することを防止するものであり、従って取っ手本体部３の後側に、扉類２の背面部２ａに前面部７ａが当接する状態で垂直の立ち上がり片状に形成されるものである。
【符号の説明】
【００２４】
１      キャビネット
１ａ    側板前端部
２      扉類
２ａ    背面部
３      取っ手本体部
５      固定板部
５ａ    干渉部分
７      処理隠し部
７ａ    前面部
【図１】
2011005027.tif 000003
【図２】
2011005027.tif 000004
【図３】
2011005027.tif 000005
【図４】
2011005027.tif 000006
【図５】
2011005027.tif 000007
【図６】
2011005027.tif 000008
【図７】
2011005027.tif 000009
【図８】
2011005027.tif 000010
【図９】
2011005027.tif 000011
【図１０】
2011005027.tif 000012
【図１１】
2011005027.tif 000013
【図１２】
2011005027.tif 000014
【図１３】
2011005027.tif 000015
【図１４】
2011005027.tif 000016
【図１５】
2011005027.tif 000017
【図１６】
2011005027.tif 000018